(57)【要約】【課題】狭額縁化を実現すると共に、輝度ムラを低減することのできるディスプレイを提供する。【解決手段】本発明の一態様に係るディスプレイ（１０）は、表示パネル（１２０）と、凹凸加工が施された凹凸面と平行に延在するスリット（１４２）であって、光の入射面から該入射面と対向する面に到るスリット（１４２）が光の出射面に形成された導光板（１４０）と、スリット（１４２）に平行な壁部（１５２）であって、スリット（１４２）に挿入される壁部（１５２）を有するパネルガイド（１５０）と、を備えている。【選択図】図１
2014072100.tif 000002
【特許請求の範囲】
【請求項１】
表示パネルと、
第１の側面から入射した光を第１の主面から上記表示パネルに出射する導光板であって、上記第１の側面に直交する第２の側面に凹凸加工が施された導光板と、
上記第１の主面の上記第２の側面近傍を覆うパネルガイドと、を備えたディスプレイであって、
上記導光板の上記第１の主面には、上記第２の側面と平行に延在する溝であって、上記第１の側面から上記第１の側面と対向する第３の側面に到る溝が形成されており、
上記パネルガイドは、上記溝に平行な壁部であって、上記溝に挿入される壁部を有している、
ことを特徴とするディスプレイ。
【請求項２】
上記溝の深さは、上記導光板の厚みの半分以上である、
ことを特徴とする請求項１に記載のディスプレイ。
【請求項３】
上記表示パネルは、上記第２の側面の凹部に嵌入されるように配置されたゲートタブを有しており、
上記溝の底面は、上記ゲートタブの上記第１の主面に対向する第２の主面側の一端よりも、上記第２の主面に近い、
ことを特徴とする請求項１または２に記載のディスプレイ。
【請求項４】
請求項１から３の何れか１項に記載のディスプレイを備えている、
ことを特徴とするテレビジョン受像機。
【請求項５】
第１の側面から入射した光を第１の主面から出射する導光板であって、
上記第１の側面に直交する第２の側面に凹凸加工が施され、
上記第１の主面には、上記第２の側面と平行に延在する溝であって、上記第１の側面から上記第１の側面と対向する第３の側面に到る溝が形成されている、
ことを特徴とする導光板。
【発明の詳細な説明】
【技術分野】
【０００１】
本発明は、ディスプレイ、ディスプレイを備えたテレビジョン受像機、および、ディスプレイに備えられる導光板に関するものである。
【背景技術】
【０００２】
従来、液晶ディスプレイを備える表示装置において、薄型化を実現するために、光源から入射された光を面状に出射させるエッジライト（サイドエッジまたはサイドライトともいう）型の導光板を備えたバックライトが多用されている。
【０００３】
このようなエッジライト型の導光板では、当該導光板の側面（以降、入射面とも呼ぶ）に対向するようにＬＥＤなどの光源を配置し、導光板の各入射面から、光を入射させる。入射された光は、当該導光板の内部を反射しながら伝搬すると共に、当該導光板の出射面から出射される。
【０００４】
このような導光板から出射される光のムラを低減することによって液晶ディスプレイの輝度ムラを低減する技術として、例えば、特許文献１に記載の技術が開示されている。特許文献１には、導光板を保持する枠体のうち、導光板の出射面の周囲を覆う部分に黒色処理を施し、出射面の周囲から出射される光を吸収することにより輝度ムラを低減する技術が記載されている。
【０００５】
一方、近年では、表示装置の薄型化に加え、額縁領域の小面積化（以降、狭額縁化とも呼称する）が求められるようになってきている。
【０００６】
この狭額縁化を実現するために、液晶ディスプレイの液晶パネルに設けられるゲートタブを額縁領域に納めるスペースを確保するため、導光板の入射面と異なる側面に凹凸形状が形成された導光板が提案されている。
【先行技術文献】
【特許文献】
【０００７】
【特許文献１】特開平０９−５７４０号公報（１９９７年１月１０日公開）
【発明の概要】
【発明が解決しようとする課題】
【０００８】
しかし、このような凹凸形状の形成された側面を有する導光板の内部を伝搬する光は、凹凸形状の側面において反射ムラが生じてしまう。このため、導光板の凹凸形状近傍の出射面から出射される光にムラが生じ、液晶ディスプレイに輝度ムラが生じてしまうという問題があった。
【０００９】
また、狭額縁化を実現するためには、特許文献１に記載の技術では、導光板の出射面の周囲を覆うスペースを十分に確保できなくなり、輝度ムラを十分に低減することができなくなるという問題があった。これは、狭額縁化を実現するために、凹凸形状の形成された側面と、液晶パネルにおいて画像の表示される表示領域（いわゆる、アクティブエリア）との距離を十分に確保することが困難なことに起因する。
【００１０】
本発明は、上記の課題を解決するためになされたものであり、その目的は、狭額縁化を実現しつつ、輝度ムラを低減することのできるディスプレイを提供することにある。
【課題を解決するための手段】
【００１１】
本発明の一態様に係るディスプレイは、上記の課題を解決するために、表示パネルと、第１の側面から入射した光を第１の主面から上記表示パネルに出射する導光板であって、上記第１の側面に直交する第２の側面に凹凸加工が施された導光板と、上記第１の主面の上記第２の側面近傍を覆うパネルガイドと、を備えたディスプレイであって、上記導光板の上記第１の主面には、上記第２の側面と平行に延在する溝であって、上記第１の側面から上記第１の側面と対向する第３の側面に到る溝が形成されており、上記パネルガイドは、上記溝に平行な壁部であって、上記溝に挿入される壁部を有している、ことを特徴としている。
【００１２】
また、本発明の一態様に係る導光板は、上記の課題を解決するために、第１の側面から入射した光を第１の主面から出射する導光板であって、上記第１の側面に直交する第２の側面に凹凸加工が施され、上記第１の主面には、上記第２の側面と平行に延在する溝であって、上記第１の側面から上記第１の側面と対向する第３の側面に到る溝が形成されている、ことを特徴としている。
【００１３】
なお、上記ディスプレイを備えていることを特徴とするテレビジョン受像機も、本発明の範疇に入る。
【発明の効果】
【００１４】
上記の構成によって、上記ディスプレイは、狭額縁化を実現しつつ、輝度ムラを低減することができる。
【図面の簡単な説明】
【００１５】
【図１】本発明の一実施形態に係るテレビの構成の概略を示す分解斜視図である。
【図２】本発明の一実施形態に係るテレビの備えるディスプレイの概略を示す概観図である。
【図３】本発明の一実施形態に係るテレビの備える導光板の概観を示す三面図である。
【図４】本発明の一実施形態に係るテレビの備えるディスプレイ１０の構成の詳細を示す図である。
【図５】本発明の一実施形態に係るテレビの断面を示す断面図である。
【図６】本発明の一実施形態の変形例に係るテレビの構成を示す断面図である。
【発明を実施するための形態】
【００１６】
＜実施形態１＞
本発明の一実施形態に係るディスプレイ、および、ディスプレイを備えた表示装置について、図１から図５を参照して以下に説明する。但し、この実施形態に記載されている構成は、特に特定的な記載がない限り、この発明の範囲をそれのみに限定する趣旨ではなく、単なる説明例に過ぎない。
【００１７】
なお、本実施形態においては、表示装置がテレビジョン受像機（テレビ）によって実現されている場合を例に挙げて説明するが、これに限定されるものではなく、例えば、電子黒板などによって実現されていてもよい。
【００１８】
〔テレビの構成〕
まず、本実施形態に係るテレビ１の構成の概略について、図１および図２を参照して説明する。図１は、本実施形態に係るテレビ１の構成の概略を示す分解斜視図である。図２は、本実施形態に係るテレビ１の備えるディスプレイの概略を示す概観図である。
【００１９】
図１に示すように、本実施形態に係るテレビ１は、フロントキャビネット１１０、表示パネル１２０、光学シート群１３０、導光板１４０、パネルガイド１５０、光源基板１６０、反射シート１７０、バックライトシャーシ１８０、および、制御部１９０を備えている。
【００２０】
テレビ１の各構成要素のうち、バックライトシャーシ１８０、反射シート１７０、導光板１４０、パネルガイド１５０、光学シート群１３０、表示パネル１２０、および、フロントキャビネット１１０は、図１に示すように、バックライトシャーシ１８０側からこの順に配置され、図２に示すように、テレビ１の備えるディスプレイ１０を構成している。なお、図２では、説明の便宜上、フロントキャビネット１１０の図示を省略している。
【００２１】
また、図１に示すように、導光板１４０の短手方向の側面に対し、光源を備える光源基板１６０が対向するように配置されている。なお、表示パネル１２０および光源基板１６０は、制御部１９０に接続されている。
【００２２】
（フロントキャビネット）
フロントキャビネット１１０は、テレビ１を保護する筐体であり、図１に示すように、表示パネル１２の画像を表示する面側からテレビ１を覆うように設けられている。また、フロントキャビネット１１０は、表示パネル１２０の表示領域を視認可能なように、窓部を有している。なお、表示領域とは、表示パネル１２０のうち、画像を表示可能な領域を指し、有効領域（アクティブエリア）などとも呼称される。
【００２３】
（表示パネル）
表示パネル１２０は、入力された画像データの表す画像を表示する。なお、表示パネル１２０に表示される画像は、動画像であってもよいし、静止画像であってもよい。
【００２４】
表示パネル１２０は、複数のゲートライン、及び、複数のソースラインを備えており、また、ゲートラインとソースラインとにより画定される複数の画素（画素領域）を備えている（何れも不図示）。なお、複数の画素は、複数の画素列および複数の画素行からなる、いわゆる格子状に配設されている。
【００２５】
表示パネル１２０は、長手方向の端部に、ゲートラインにゲート信号を供給するゲートライン駆動回路（不図示）と接続するための端子であるゲートタブ１２１を複数備えている。また、表示パネル１２０は、短手方向の端部に、ソースラインにソース信号を供給するソースライン駆動回路（不図示）と接続するための端子であるソースタブ１２２を備えている。
【００２６】
また、表示パネル１２０の備えるゲートタブ１２１は、狭額縁化のため、図１に示すように、表示パネル１２０の表示面に対して垂直に、かつ、表示面と反対側に伸びるように設けられている。
【００２７】
（光学シート群）
光学シート群１３０は、導光板１４０から出射する光量のムラ（すなわち輝度ムラ）を抑制するとともに、導光板１４０から入射される光を集光して表示パネル１２０に向けて出射する機能を有している。
【００２８】
光学シート群１３０は、例えば、拡散シート、プリズムシート、及び、マイクロレンズシートなどを含んで構成されている。なお、光学シート群１３０を構成する各シートの枚数及び組み合わせは、所望の光学性能が得られるような枚数及び組み合わせであれば、特に限定されるものではない。
【００２９】
（パネルガイド）
パネルガイド１５０は、導光板１４０の長手方向の側面付近に設けられ、当該長手方向の側面付近から漏れる光を遮光する。パネルガイド１５０は、これによって、導光板１４０の長手方向の側面付近からの光漏れを防ぎ、表示パネル１２０における色ムラを低減する。パネルガイド１５０は、例えば、黒色の樹脂によって実現されていればよいが、これに限定されるものではく、光を透過しない材料であれば、何れの材料によって実現されていてもよい。
【００３０】
また、パネルガイド１５０は、表示パネル１２０に対する導光板１４０の位置を固定する。
【００３１】
さらに、パネルガイド１５０は、表示パネル１２０の備えるゲートタブ１２１との干渉を避けるため、図１に示すように、複数の開口部１５１を有している。なお、パネルガイド１５０に形成される開口部１５１の詳細については、図面を変えて後述する。
【００３２】
（光源基板）
光源基板１６０は、複数の光源を備えている。また、光源基板１６０は、当該光源基板１６０の備える光源が、導光板１４０の入射面と対向するように配置されている。光源基板１６０の備える光源から出射された光は、導光板１４０の入射面に入射される。
【００３３】
なお、本実施形態では、光源としてＬＥＤ（Light-emitting Diode）を用いた場合を例に挙げて説明するが、本発明はこれに限定されるものではなく、例えば、光源として、蛍光管などＬＥＤ以外の光源を用いる構成を採用してもよい。
【００３４】
（反射シート）
反射シート１７０は、導光板１４０の出射面と反対側の面に対向して配置され、当該出射面と反対側の面から出射される光を反射して再び導光板１４０に入射させる。反射シート１７０を用いることによってバックライトシャーシ１８０側に吸収されていた光を有効に利用できるため、導光板１４０の出射面から出射される光量を増やすことができる。
【００３５】
（バックライトシャーシ）
バックライトシャーシ１８０は、テレビ１を保護する筐体であり、図１に示すように、表示パネル１２０の映像を表示する面と反対側からテレビ１を覆うように設けられている。
【００３６】
また、フロントキャビネット１１０とバックライトシャーシ１８０とが、図示しない固定部材により互いに固定されることにより、フロントキャビネット１１０とバックライトシャーシ１８０との間に位置する、テレビ１の各構成部品が挟持される。
【００３７】
（制御部）
制御部１９０は、テレビ１の各部を総括的に制御する手段である。
【００３８】
制御部１９０は、入力される画像データの表す画像を表示するよう表示パネル１２０を駆動する。具体的には、制御部１９０は、表示パネル１２０の備えるゲートラインを駆動するゲート駆動回路、および、ソースラインを駆動するソースライン（何れも不図示）を制御することによって、表示パネル１２０の備える各画素を制御し、表示パネル１２０を駆動する。
【００３９】
また、制御部１９０は、表示パネル１２０における画像の表示に同期して、光源基板１６０の備える光源の点灯を制御する。
【００４０】
（導光板）
導光板１４０は、図１に示すように、短手方向の側面において、当該側面に対向するように配置された光源基板１６０に設けられた光源から出射される光を受光する（以降、導光板１４０の短手方向の側面を、入射面とも呼称する）。また、導光板１４０の長手方向の側面付近には、パネルガイド１５０が取り付けられる。
【００４１】
導光板１４０は、光源基板１６０から入射面に入射される光を、光学シート群１３０側の主面から出射する（以降、導光板１４０の光学シート群１３０側の主面を、出射面とも呼称する）。
【００４２】
ここで、図３を参照して、導光板１４０の詳細について説明する。図３は、本実施形態に係るテレビ１の備える導光板１４０の概観を示す三面図である。図３では、導光板１４０の出射面を正面とした正面図、長手方向の側面を示す左側面図、および、入射面を示す下面図を用いて、導光板１４０の三面図を示している。
【００４３】
図３に示すように、本実施形態に係る導光板１４０は、正面図に示す出射面（第１の主面）、出射面に対向する主面（第２の主面）、下面図に示す入射面（第１の側面）、該入射面に対向する他方の入射面（第３の側面）、側面図に示す凹部１４１の形成された凹凸面（第２の側面）、および、該凹凸面に対向する他方の凹凸面（第２の側面）を有している。
【００４４】
なお、「主面」は、導光板１４０を構成する６つの面のうち、最大の面積を有する２つの面の各々のことを指し、「側面」は、導光板１４０を構成する６つの面のうち、２つの主面以外の４つの面の各々のことを指す。ただし、これらの用語は、主面同士又は側面同士を互いに区別するための便宜的な呼称であり、導光板１４０の配置について何ら制限を加えるものではない。
【００４５】
具体的には、導光板１４０には、表示パネル１２０の備えるゲートタブ１２１との干渉を避けるため、図３および図４に示すように、複数の凹部１４１が形成されている（凹凸加工が施されている）。また、凹部１４１は、図４に示すように、パネルガイド１５０に形成されている開口部１５１と、出射面に垂直な方向に重なるように、導光板１４０の長手方向の側面に形成されている。
【００４６】
また、導光板１４０は、図１の正面図および下面図に示すように、凹凸面付近の出射面にスリット１４２（溝）が形成されている。具体的には、スリット１４２は、出射面上に凹凸面に平行に延在し、一方の入射面から当該入射面に対向する他方の入射面に到るように形成されている。
【００４７】
なお、本実施形態では、導光板１４０の長手方向の側面が凹凸面であり、短手方向の側面が入射面である場合を例に挙げて説明するが、これに限定されるものではなく、長手方向の側面が入射面であり、手方向の側面が凹凸面であってもよい。この場合には、導光板１４０の長手方向の側面に対向して光源基板１６０が備えられ、短手方向の側面近傍にパネルガイド１５０が備えられればよい。
【００４８】
〔ディスプレイの構成〕
次に、本実施形態に係るテレビ１の備えるディスプレイ１０の構成について、図４および図５を参照して説明する。図４は、本実施形態に係るテレビ１の備えるディスプレイ１０の構成の詳細を示す図である。図４（ａ）は、図２に示すディスプレイ１０のＡ−Ａ’断面図であり、（ｂ）は、（ａ）の分解斜視図である。
【００４９】
また、図５は、本実施形態に係るテレビ１の断面を示す断面図である。図５（ａ）は、導光板１４０の凹部１４１を含む部分のテレビ１の断面図であり、（ｂ）は、導光板１４０の凹部１４１を含まない部分のテレビ１の断面図である。
【００５０】
図４（ａ）に示すように、表示パネル１２０の備えるゲートタブ１２１は、狭額縁化を実現するため、表示パネル１２０の表示面に対して垂直に、かつ、表示面と反対側（つまり、導光板１４０の配置される側）に延在するように設けられている。
【００５１】
ゲートタブ１２１は、図４（ｂ）に示すように、パネルガイド１５０に形成されている開口部１５１に挿入されるように、また、導光板１４０に形成されている凹部１４１に嵌入されるように配置される。
【００５２】
また、パネルガイド１５０は、図４および図５（ａ）に示すように、導光板１４０に形成されているスリット１４２に挿入される壁部１５２を備えている。なお、パネルガイド１５０の壁部１５２の幅は、図５（ａ）に示すように、導光板１４０のスリット１４２の幅より小さい。
【００５３】
パネルガイド１５０の壁部１５２は、導光板１４０のスリット１４２に挿入されることにより、導光板１４０の凹凸面における反射光がスリット１４２を透過して出射面から出射されることを防ぐことができる。
【００５４】
つまり、導光板１４０は、図５（ａ）に示すように、スリット１４２の側面のうち、導光板１４０の中心側の側面において反射される光を、出射面から出射する光（出射光）として出射する。一方、導光板１４０の凹凸面のうち、凹部１４１において反射される光は、パネルガイド１５０の壁部１５２によって吸収されるため、出射光として導光板１４０の出射面から出射されることはない。
【００５５】
同様に、導光板１４０の凹凸面のうち、凹部１４１の形成されていない面における反射光もまた、図５（ｂ）に示すように、パネルガイド１５０の壁部１５２によって吸収されるため、出射光として導光板１４０の出射面から出射されることはない。
【００５６】
このように、パネルガイド１５０は、導光板１４０の凹凸面の凹部１４１における反射光と凹部１４１以外の面における反射光とによってムラの生じた反射光の出射を妨げることができる。
【００５７】
これによって、狭額縁化のために、導光板１４０の凹凸面と、表示パネル１２０の表示領域との距離を十分に確保することが困難な場合であっても、表示パネル１２０における輝度ムラを低減することができる。したがって、導光板１４０にスリット１４２を形成することにより、ディスプレイ１０は、狭額縁化を実現しつつ、輝度ムラを低減することができる。
【００５８】
また、導光板１４０は、スリット１４２を有していることにより、パネルガイド１５０による表示パネル１２０に対する位置をより容易に固定することができる。これによって、導光板１４０の表示パネル１２０に対する位置決めがより容易になる。
【００５９】
なお、導光板１４０のスリット１４２の深さは、深ければ深いほど好ましく、その深さ最小は、導光板１４０の厚さの半分である。これは、導光板１４０のスリット１４２の深さが浅い場合には、凹凸面において生じる反射光のムラのうち、スリット１４２に挿入されるパネルガイド１５０の壁部１５２によって遮光されない反射光の量が増えてしまうためである。
【００６０】
本実施形態では、導光板１４０のスリット１４２の深さは、図５（ａ）に示すように、導光板１４０の厚さの半分よりも深く、さらに、表示パネル１２０の有するゲートタブ１２１の表示面と反対側（反射シート側）の端部の位置よりも深い。
【００６１】
これによって、導光板１４０のスリット１４２は、凹凸面から出射された光のうち表示パネル１２０のゲートタブ１２１によって反射された光が再び導光板１４０に入射された場合にも、当該ゲートタブ１２１によって反射された光を遮光することができる。
【００６２】
なお、本実施形態では、導光板１４０のスリット１４２にパネルガイド１５０の壁部１５２を挿入する構成を例に挙げて説明したが、これに限定されるものではない。例えば、遮光シート、遮光シール、および、黒色の樹脂製の棒など、遮光性（光吸収性）のある材料を導光板１４０のスリット１４２に挿入する構成を採用してもよい。
【００６３】
また、本実施形態では、導光板１４０のスリット１４２に、遮光性のあるパネルガイド１５０の壁部１５２を挿入する構成を例に挙げて説明したが、これに限定されるものではない。例えば、パネルガイド１５０の壁部１５２に代えて、入射される光を略均一に反射することのできる材料（例えば、反射シートなど）を挿入する構成を採用することもできる。
【００６４】
導光板１４０のスリット１４２に挿入される材料が光を略均一に反射する材料である場合には、スリット１４２において光を略均一に反射することができるため、表示パネル１２０の輝度ムラを低減することができる。
【００６５】
＜変形例＞
本実施形態の変形例について、図６を参照して以下に説明する。なお、説明の便宜上、実施形態１に係るテレビ１と同様の機能を有する構成要素には同一の番号を付し、その説明を省略する。本変形例では、主に、実施形態１との相違点について説明するものとする。
【００６６】
本変形例に係るテレビ１は、図６に示すように、反射シート１５５をさらに備えていること以外は、実施形態１に係るテレビ１と同じ構成である。図６は、本実施形態の変形例に係るテレビ１の構成を示す断面図である。
【００６７】
（反射シート）
反射シート１５５は、導光板１４０から出射される光を反射して、再び導光板１４０に入射させる。
【００６８】
反射シート１５５は、図６に示すように、導光板１４０のスリット１４２内に配置されている。より詳細には、反射シート１５５は、導光板１４０のスリット１４２内における、スリット１４２に挿入されているパネルガイド１５０の壁部１５２の配置位置よりも、導光板１４０の中心側に配置されている。
【００６９】
反射シート１５５を導光板１４０のスリット１４２内に配置することにより、スリット１４２の側面であって導光板１４０中心側の側面から出射される光を再び導光板１４０に入射させることができる。したがって、導光板１４０は、反射シート１５５から入射される光を有効に利用できるため、出射面から出射される光量を増やすことができる。これによって、反射シート１５５は、表示パネル１２０の輝度を向上させることができる。
【００７０】
なお、本変形例では、反射シート１５５をさらに備えている場合を例に挙げて説明したが、これに限定されるものではない。例えば、本変形例に係るテレビ１は、反射シート１５５の代わりに、遮光シートを備えていてもよい。
【００７１】
遮光シートは、導光板１４０から出射される光を吸収する。このように、遮光シートをさらに備える場合には、導光板１４０のスリット１４２から出射される光が遮光シートによって吸収されるため、導光板１４０のスリット１４２付近の出射面から出射される光のムラを低減することができる。これによって、遮光シートは、表示パネル１２０の輝度ムラをさらに抑制することができる。
【００７２】
〔まとめ〕
本発明の一態様に係るディスプレイ１０は、上述のように、表示パネル１２０と、第１の側面（入射面）から入射した光を第１の主面（出射面）から上記表示パネル１２０に出射する導光板１４０であって、上記第１の側面に直交する第２の側面（凹凸面）に凹凸加工が施された導光板１４０と、上記第１の主面の上記第２の側面近傍を覆うパネルガイド１５０と、を備えたディスプレイ１０であって、上記導光板１４０の上記第１の主面には、上記第２の側面と平行に延在する溝（スリット１４２）であって、上記第１の側面から上記第１の側面と対向する第３の側面（入射面）に到る溝が形成されており、上記パネルガイド１５０は、上記溝に平行な壁部であって、上記溝に挿入される壁部１５２を有している、ことを特徴としている。
【００７３】
上記の構成によれば、上記導光板１４０は、狭額縁化のために上記凹凸加工の施された上記第２の側面と平行な溝を有しており、当該溝には、上記パネルガイド１５０の有する上記壁部１５２が挿入される。
【００７４】
上記パネルガイド１５０が光を反射する場合には、上記溝に上記壁部１５２の挿入された上記導光板１４０は、当該導光板１４０の内部を伝搬する光を、上記第２の側面に到達する前に、上記溝において反射させることができる。また、上記パネルガイド１５０が光を吸収する場合には、上記導光板１４０は、当該導光板１４０の内部を伝搬する光を、上記第２の側面に到達する前に、上記溝において吸収することができる。
【００７５】
上記導光板１４０は、このように、上記溝によって、上記第２の側面に到る光の量を減らすことができるため、上記第２の側面において反射する光の量を抑えることができる。これによって、上記導光板１４０は、上記第２の側面に形成された凸凹によって生じる反射光のムラを低減することができる。また、上記パネルガイド１５０および上記溝によって、上記第２の側面において反射した光が上記第１の主面から上記表示パネル１２０に出射されることを防ぐことができる。
【００７６】
これによって、狭額縁化のために、上記第２の側面と、上記表示パネル１２０の表示領域（アクティブエリア）との距離を十分に確保することが困難な場合であっても、上記表示パネル１２０における輝度ムラを低減することができる。したがって、上記ディスプレイ１０は、狭額縁化を実現しつつ、輝度ムラを低減することができる。
【００７７】
また、本発明の一態様に係るディスプレイ１０において、上記溝の深さは、上記導光板１４０の厚みの半分以上である、ことが好ましい。
【００７８】
上記の構成によれば、上記導光板１４０には、当該導光板１４０の厚みの半分以上の深さの溝が形成されている。これによって、上記導光板１４０は、狭額縁化のために上記凹凸加工の施された上記第２の側面に到る光の量を、深く形成された上記溝によって、より効率的に抑えることができる。なお、上記溝の深さは、深ければ深いほど好ましい。
【００７９】
また、本発明の一態様に係るディスプレイ１０において、上記表示パネル１２０は、上記第２の側面の凹部に嵌入されるように配置されたゲートタブ１２１を有しており、上記溝の底面は、上記ゲートタブ１２１の上記第１の主面に対向する第２の主面側の一端よりも、上記第２の主面に近い、ことが好ましい。
【００８０】
上記の構成によれば、上記第２の側面から出射されて上記ゲートタブ１２１によって反射された光が、再び上記第２の側面から上記導光板１４０に入射された場合にも、当該入射光を上記溝によって効率的に遮光することができる。
【００８１】
また、本発明の一態様に係るディスプレイ１０は、上記溝の上記導光板１４０の中心側の側面に、光を反射する反射シート１５５をさらに備えている、ことが好ましい。
【００８２】
上記の構成によれば、上記反射シート１５５は、上記溝から上記導光板１４０の外部へ出射される光を反射し、再び上記導光板１４０へ入射させる。これによって、上記導光板１４０は、上記溝から出射される光を、上記導光板１４０の出射光として有効に利用することができるため、上記ディスプレイ１０の輝度を向上させることができる。
【００８３】
また、本発明の一態様に係るディスプレイ１０は、上記溝の上記導光板１４０の中心側の側面に、光を吸収する遮光シートをさらに備えている、ことが好ましい。
【００８４】
上記の構成によれば遮光シートは、上記溝から上記導光板１４０の外部へ出射される光を吸収する。これによって、上記遮光シートによって、上記溝から出射される光のムラを低減することができるため、上記ディスプレイ１０は、輝度ムラをさらに抑制することができる。
【００８５】
また、上記ディスプレイ１０を備えていることを特徴とするテレビジョン受像機１も、本発明の範疇に入る。
【００８６】
本発明の一態様に係る導光板１４０は、上述のように、第１の側面（入射面）から入射した光を第１の主面（出射面）から出射する導光板１４０であって、上記第１の側面に直交する第２の側面（凹凸面）に凹凸加工が施され、上記第１の主面には、上記第２の側面と平行に延在する溝（スリット１４２）であって、上記第１の側面から上記第１の側面と対向する第３の側面（入射面）に到る溝が形成されている、ことを特徴としている。
【００８７】
上記の構成によれば、上記導光板１４０は、狭額縁化のために上記凹凸加工の施された上記第２の側面と平行な溝を有している。
【００８８】
上記導光板１４０は、上記溝によって、当該導光板１４０を伝搬する光のうち上記第２の側面まで到達する光の量を低減することができる。これによって、上記導光板１４０は、上記第２の側面に施された凹凸加工によってムラの生じた光の反射光が上記第１の主面の上記第２の側面近傍から出射される量を低減することができる。
【００８９】
したがって、上記導光板１４０は、当該導光板１４０を備えるディスプレイ１０における狭額縁化を実現すると共に、輝度ムラを低減することができる。
【００９０】
以上、本発明の実施形態について説明したが、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。また、特許請求の範囲と均等の意味および範囲内でのすべての変更が含まれる。
【産業上の利用可能性】
【００９１】
本発明の一態様に係るディスプレイは、テレビジョン受像機、電子黒板、パーソナルコンピュータ、モニター、カーナビゲーションシステム、携帯電話、スマートフォン、ＰＤＡ、および、デジタルカメラなどの表示装置に好適に適用することができる。
【符号の説明】
【００９２】
１                テレビ（テレビジョン受像機）
１０              ディスプレイ
１１０            フロントキャビネット
１２０            表示パネル
１２１            ゲートタブ
１３０            光学シート群
１４０            導光板
１４１            凹部
１４２            スリット（溝）
１５０            パネルガイド
１５１            開口部
１５２            壁部
１６０            光源基板
１５５、１７０    反射シート
１８０            バックライトシャーシ
１９０            制御部
【図１】
2014072100.tif 000003
【図２】
2014072100.tif 000004
【図３】
2014072100.tif 000005
【図４】
2014072100.tif 000006
【図５】
2014072100.tif 000007
【図６】
2014072100.tif 000008